(57)【要約】【課題】電源異常の検出および異常となった電源の特定が可能な、低コストで、回路規模の小さな携帯機器を提供する。【解決手段】携帯機器は、メイン電池１５からヒューズ１０１〜１０６を介して電力が供給される電源２１〜２６と、これら電源２１〜２６を制御する電源制御ロジック回路２７と、電源２１〜２６の入力ラインの電圧異常を検出する電源入力異常検出部２０１と、電源入力異常検出部２０１で異常とされた電源を通知するための電源制御を電源制御ロジック回路２７に実行させる電源異常通知部２０２とを有する。【選択図】図１
2007244148.tif 000002
【特許請求の範囲】
【請求項１】
それぞれが主電源と接続された複数の電源回路と、
前記主電源と前記複数の電源回路との間の電力が供給される入力ラインにそれぞれ設けられた複数のヒューズと、
前記複数の電源回路を制御する電源制御部と、
前記複数の電源回路の各入力ラインにおける各電圧をそれぞれ入力とし、順次選択して出力するセレクタと、
前記セレクタが順次出力する電圧を入力とし、各入力電圧に応じて、前記ヒューズが溶断された異常状態を示す第１の電圧と前記ヒューズが溶断されていない通常状態を示す第２の電圧のいずれかの電圧を順次出力する引き込み制御回路と、
前記引き込み制御回路の出力を順次入力し、前記複数の電源回路についてその入力ラインに設けられたヒューズの溶断状態を示す異常要因特定データを生成する異常検出処理部と、
前記異常検出処理部から出力された異常要因特定データに基づいて、入力ラインに設けられた前記ヒューズが溶断されていない電源回路を用いた、電源異常を通知するための所定の電源制御を、前記電源制御部に実行させる電源異常通知部と、を有する、携帯機器。
【請求項２】
前記複数の電源回路のうちの１つの電源回路と接続された、前記電源制御部を通じた電源制御が可能な制御系デバイスをさらに有し、
前記電源異常通知部は、前記異常検出処理部から出力された異常要因特定データに基づいて、入力ラインに設けられた前記ヒューズが溶断された電源回路を特定し、該特定した電源回路が前記制御系デバイスに接続された電源回路である場合にのみ、前記所定の電源制御を前記電源制御部に実行させる、請求項１に記載の携帯機器。
【請求項３】
前記所定の電源制御が、入力ラインに設けられた前記ヒューズが溶断されていない電源回路を強制的にオフにすることが可能な電源制御である、請求項１に記載の携帯機器。
【請求項４】
前記異常検出処理部は、
前記引き込み制御回路から順次出力される、前記複数の電源回路の各入力ラインについての各電圧をそれぞれ、基準電圧に基づいて、特定のビットの値が前記異常状態と前記通常状態とで異なるディジタル信号に変換するＡ／Ｄ変換部と、
前記Ａ／Ｄ変換部で変換された各入力ラインについてのディジタル信号の前記特定のビットの値を、前記セレクタの出力順に並べて前記異常要因特定データを生成する異常要因特定データ生成部と、を有する、請求項２または３に記載の携帯機器。
【請求項５】
前記異常検出処理部は、前記Ａ／Ｄ変換部で変換された各入力ラインについてのディジタル信号の前記特定のビットの値の少なくとも１つが他の値と異なる場合に異常発生信号を出力する比較部を、さらに有し、
前記電源異常通知部は、
入力ラインに設けられた前記ヒューズが溶断された電源回路が前記制御系デバイスに接続された電源回路でない場合に、前記比較部から出力された異常発生信号を割り込み信号として前記制御系デバイスに供給する異常通知割り込み部と、
前記異常検出処理部から出力された異常要因特定データを格納するとレジスタと、
をさらに有し、
前記制御系デバイスは、前記電源異常通知部から前記割り込み信号を受信すると、前記レジスタに格納された異常要因特定データに基づいて、入力ラインに設けられた前記ヒューズが溶断されていない電源回路を用いた、電源異常を通知するための前記所定の電源制御を、前記電源制御部に実行させる、請求項４に記載の携帯機器。
【請求項６】
前記特定のビットが前記ディジタル信号の最上位ビットである、請求項４または５に記載の携帯機器。
【請求項７】
それぞれが主電源と接続された複数の電源回路と、前記主電源と前記複数の電源回路との間の電力が供給される入力ラインにそれぞれ設けられた複数のヒューズとを備える携帯機器の異常を通知する方法であって、
前記複数の電源回路の各入力ラインにおける各電圧を順次選択し、各選択電圧に応じて、前記ヒューズが溶断された異常状態を示す第１の電圧と前記ヒューズが溶断されていない通常状態を示す第２の電圧のいずれかの電圧を順次出力する第１のステップと、
前記第１のステップで順次出力した各電圧に基づいて、前記複数の電源回路についてその入力ラインに設けられたヒューズの溶断状態を示す異常要因特定データを生成する第２のステップと、
前記第２のステップで生成された異常要因特定データに基づいて、入力ラインに設けられた前記ヒューズが溶断されていない電源回路を用いた、電源異常を通知するための所定の電源制御を第３のステップと、を含む、携帯機器の電源異常通知方法。
【請求項８】
前記第３のステップは、
前記第２のステップで生成された異常要因特定データに基づいて、入力ラインに設けられた前記ヒューズが溶断された電源回路を特定し、該特定した電源回路が、前記複数の電源回路の制御が可能な制御系デバイスの電源回路であるか否かを判断するステップと、
前記特定した電源回路が前記制御系デバイスの電源回路であると判断した場合に、電源制御部に、前記所定の電源制御を実行させるステップとを含む、請求項７に記載の携帯機器の電源異常通知方法。
【請求項９】
前記第３のステップは、前記特定した電源回路が前記制御系デバイスの電源回路でないと判断した場合に、前記制御系デバイスに、前記所定の電源制御を実行させるための割り込み信号を供給するステップをさらに含む、請求項８に記載の携帯機器の電源異常通知方法。
【請求項１０】
前記所定の電源制御が、入力ラインに設けられた前記ヒューズが溶断されていない電源回路を強制的にオフにすることが可能な電源制御である、請求項８または９に記載の携帯機器の電源異常通知方法。
【請求項１１】
前記第２のステップは、前記第１のステップで順次出力した、前記複数の電源回路の各入力ラインについての各電圧をそれぞれ、基準電圧に基づいて、特定のビットの値が前記異常状態と前記通常状態とで異なるディジタル信号に変換し、該変換された各入力ラインについてのディジタル信号の前記特定のビットの値を、前記選択順に並べて前記異常要因特定データを生成するステップを含む、請求項７から１０のいずれか１項に記載の携帯機器の電源異常通知方法。
【請求項１２】
前記特定のビットが前記ディジタル信号の最上位ビットである、請求項１１に記載の携帯機器の電源異常通知方法。
【発明の詳細な説明】
【技術分野】
【０００１】
本発明は、携帯電話機や携帯情報端末などに代表される携帯機器に関し、特に、ヒューズ溶断によって生じる電源の異常を通知する機能を備えた携帯機器に関する。
【背景技術】
【０００２】
携帯機器において、外部電源（またはメインとなる電源）から内部の電源（二次電池）への電源供給ラインにヒューズを設けた保護回路が提案されている（特許文献１）。この保護回路では、電源供給ラインに過電流が流れてヒューズが溶断されると、溶断検出回路がそのヒューズの溶断を検出する。溶断検出回路でヒューズの溶断が検出されると、異常報知制御部が、異常があった旨を示すメッセージを表示部に表示させる。このメッセージの表示により、ユーザは、携帯機器の異常を認識する。
【特許文献１】特開２００４−１４６９６０号公報
【発明の開示】
【発明が解決しようとする課題】
【０００３】
最近、携帯機器の高性能化及び多機能化が進み、通信系デバイス、アプリケーション用デバイス、制御系デバイスといった機能デバイス毎にパワーマネージメントを行う必要が生じてきた。機能デバイス毎にパワーマネージメントを行うために、機能デバイス毎に電源を設けた携帯機器が提供されているが、機能デバイス毎に電源を個別に設けることは、実装面積やコストといった面でデメリットとなる。このため、複数の電源を１つのパッケージにした複合型電源デバイスが用いられることが多い。
【０００４】
複合型電源デバイスを備えた携帯機器においても、外部からの異常給電またはショート故障などによる機器の破損を防止するために保護回路を設ける必要がある。この保護回路として、特許文献１に記載の保護回路を適用することができる。しかし、この場合は、ヒューズ毎に溶断検出回路を設ける必要があるため、その分、コストが増加し、回路規模も大きくなる。加えて、どの電源のヒューズが溶断されたかを通知することができないので、ヒューズ交換を行う際に、作業者は、溶断したヒューズがどれであるかを調べる必要がある。このような作業は、ヒューズ交換作業の効率を低下させる。
【０００５】
本発明の目的は、上記問題を解決し、電源異常の検出および異常となった電源の特定が可能な、低コストで、回路規模の小さな携帯機器を提供することにある。
【課題を解決するための手段】
【０００６】
上記目的を達成するため、本発明の携帯機器は、
それぞれが主電源と接続された複数の電源回路と、
前記主電源と前記複数の電源回路との間の電力が供給される入力ラインにそれぞれ設けられた複数のヒューズと、
前記複数の電源回路を制御する電源制御部と、
前記複数の電源回路の各入力ラインにおける各電圧をそれぞれ入力とし、順次選択して出力するセレクタと、
前記セレクタが順次出力する電圧を入力とし、各入力電圧に応じて、前記ヒューズが溶断された異常状態を示す第１の電圧と前記ヒューズが溶断されていない通常状態を示す第２の電圧のいずれかの電圧を順次出力する引き込み制御回路と、
前記引き込み制御回路の出力を順次入力し、前記複数の電源回路についてその入力ラインに設けられたヒューズの溶断状態を示す異常要因特定データを生成する異常検出処理部と、
前記異常検出処理部から出力された異常要因特定データに基づいて、入力ラインに設けられた前記ヒューズが溶断されていない電源回路を用いた、電源異常を通知するための所定の電源制御を、前記電源制御部に実行させる電源異常通知部と、を有する、ことを特徴とする。
【０００７】
上記の構成によれば、各電源回路の入力ラインにおける電圧（電源入力電圧）がセレクタによって順次選択される。ヒューズが溶断された電源回路の電源入力電圧がセレクタで選択された場合は、その選択された電源入力電圧は、引き込み制御回路によって、ヒューズが溶断された異常状態を示す第１の電圧とされる。ヒューズが溶断されていない電源回路の電源入力電圧がセレクタで選択された場合は、その選択された電源入力電圧は、引き込み制御回路によって、ヒューズが溶断されていない通常状態を示す第２の電圧とされる。このように、各電源回路の電源入力電圧が、引き込み制御回路によって、第１または第２の電圧値とされるので、その電圧値に基づいて、ヒューズが溶断されたことを検知することが可能である。
【０００８】
加えて、セレクタによる選択順序を予め決めておくことで、ヒューズの溶断された電源回路を特定することが可能である。
【０００９】
また、ヒューズ溶断を検出するのに必要な回路である、引き込み制御回路や異常検出処理部は、いずれも１つでよい。このように、ヒューズ毎に溶断検出回路を設ける必要がないので、従来のようなコスト増加や回路規模の増大といった問題は生じない。
【００１０】
ヒューズが溶断された場合は、ヒューズが溶断されていない電源回路を用いた、電源異常を通知するための所定の電源制御が行われる。所定の電源制御は、例えば、ＬＣＤ、ＬＥＤなどの表示系デバイスの電源回路やスピーカの電源回路などを用いた、電源異常をユーザに通知することのできる電源制御であり、これにより、ユーザは、電源異常を認識することができる。
【００１１】
ヒューズが溶断された電源回路を特定することができるので、例えばＬＥＤの点滅パターンを、電源回路毎に異なるようなパターンとすることが可能である。これにより、ヒューズ交換作業時に、点滅パターンに基づいてどの電源のヒューズが溶断されたかを認識することが可能である。
【発明の効果】
【００１２】
本発明によれば、ヒューズ毎に溶断検出回路を設ける必要がないので、従来のものと比べて、低コストで、回路規模の小さな携帯機器を実現することができる。
【００１３】
また、どの電源のヒューズが溶断されたかを通知することが可能であるので、ヒューズ交換作業を効率よく行うことができる。
【発明を実施するための最良の形態】
【００１４】
次に、本発明の実施形態について図面を参照して説明する。
【００１５】
（第１の実施形態）
図１は、本発明の第１の実施形態である携帯機器の概略構成を示すブロック図である。図１において、太線の実線は電源ラインを示し、細線の実線は信号ラインを示す。なお、電源ブロックは、１チップのイメージで記載しているが、これに限定されるものではない。
【００１６】
図１を参照すると、携帯機器は、携帯電話機などの携帯型の通信機器であって、主電源であるメイン電池１５から電池電圧がヒューズ１０１〜１０６を介して供給される電源回路２を有する。電源回路２は、複合型電源デバイスであって、複数の電源２１〜２６、電源入力異常検出部２０１、電源異常検知部２０２、および電源制御ロジック回路２７からなる。
【００１７】
電源２１は、無線デバイスなどの通信系デバイス３の電源であって、その入力側ラインはヒューズ１０１を介してメイン電池１５に接続されている。電源２２は、表示部５の電源であって、その入力側ラインはヒューズ１０２を介してメイン電池１５に接続されている。電源２３は、カメラや音楽再生機能などのアプリケーション用デバイス６の電源であって、その入力側ラインはヒューズ１０３を介してメイン電池１５に接続されている。電源２４は、制御系デバイス（ＣＰＵやメモリ等）８の電源であって、その入力側ラインはヒューズ１０４を介してメイン電池１５に接続されている。
【００１８】
電源２５の出力側ラインは、データラインや制御ラインであるＩ／Ｏポート９に接続されるとともに、ダイオード２９の一端に接続されている。電源２５の入力側ラインはヒューズ１０５を介してメイン電池１５に接続されている。電源２６の出力側ラインは、ダイオード２８の一端に接続されている。電源２６の入力側ラインはヒューズ１０６を介してメイン電池１５に接続されている。電源２６は、２次電池よりなるバックアップ電池１３の充電用に用いられるだけでなく、発振回路１０や、この発振回路１０からのクロックに基づいてリアルタイムクロックを生成する時計機能部１１などへの電力の供給を行う。
【００１９】
電源入力異常検出部２０１、電源制御ロジック回路２７、時計機能部１１、および発信回路１０の各電源入力ラインは共通に接続されており、該共通接続ラインは、ダイオード２８の他端およびダイオード２９の他端にそれぞれ接続されるとともに、抵抗１２を介してバックアップ電池１３に接続されている。抵抗１２は、充電電流を制限するための保護用の抵抗である。
【００２０】
電池電圧検出部１４は、メイン電池１５の出力電圧（電池電圧）を検出するものであって、検出した電池電圧が基準電圧より低ければ、電源をオフするための制御信号を電源制御ロジック回路２７に供給する。電源制御ロジック回路２７は、電源２１〜２６のオン・オフ制御やそれらの出力電圧制御を行う。電源回路２自体の電源は、電源２５、２６の一方または両方から供給される。電源２５、２６は、互いの出力が影響しないように、ダイオード２８、２９によりオア接続されている。
【００２１】
電源入力異常検出部２０１は、電源２１〜２６のそれぞれの入力側ラインにおいて、メイン電池１５からヒューズ１０１〜１０６を介して供給される電池電圧の異常を検出する。ここで、電池電圧の異常は、ヒューズ溶断により、電源の入力側ラインに電池電圧が供給されていない状態をいう。
【００２２】
電源異常通知部２０２は、電源入力異常検出部２０１にて電池電圧の異常が検出されると、どの電源の入力に異常が起こっているかの情報を記録し、割り込み出力などで制御系デバイス８に通知する。また、電源異常通知部２０２は、電源の入力に異常があったことをユーザに通知するための機能を有する。異常通知機能としては、ＬＥＤなどにより視覚的に異常を通知する機能やスピーカなどにより聴覚的に異常を通知する機能などがある。
【００２３】
制御デバイス８は、通信系デバイス３、データ入力部４、表示部５、アプリケーション用デバイス６、音声入出力部７、および電源制御クロック回路２７のそれぞれと制御ラインを介して接続されており、各部における動作（データや制御信号の入出力を含む）を制御する。
【００２４】
ヒューズ１０１〜１０６は、必ずしも図１に示した構成に限られるものではなく、例えば、接続されるデバイスの消費電力によってヒューズをまとめてもよい。また、電源２１〜２６は、ＬＤＯ（Low Dropout）であっても、ＤＣ/ＤＣコンバータであってもよい。
【００２５】
本実施形態の携帯機器では、外部からの異常給電またはショート故障などにより、各電源２１〜２６の入力側ラインに過電流が流れて、ヒューズ１０１〜１０６のいずれかが溶断された場合には、そのヒューズ溶断が電源入力の異常として電源入力異常検出部２０１で検知される。そして、電源異常通知部２０２が、電源入力異常検出部２０１による電池電圧の異常の検出結果に基づいて、どの電源入力に異常が起こっているかを記録するとともに、異常を検出した旨の通知を行う。
【００２６】
以下、電源入力異常検出部２０１および電源異常通知部２０２について、具体的に説明する。
【００２７】
（１）電源入力異常検出部２０１
図２に、電源異常検出部２０１の構成を示す。図２を参照すると、電源異常検出部２０１は、セレクタ２０１１、引き込み制御回路２０１０、Ａ／Ｄコンバータ２０１５、Ａ／Ｄ変換開始タイミング生成回路２０１６およびデータ比較部２０１７からなる。Ａ／Ｄコンバータ２０１５およびデータ比較部２０１７により、異常検出処理部が構成されている。
【００２８】
セレクタ２０１１は、電源２１〜２６の入力側ラインがそれぞれセンス用ラインを介して接続された複数の入力を有し、これら入力を予め決められた順序で選択して出力する。入力の選択は、セレクタ２０１１の制御端子に供給される制御信号に基づいて行われる。セレクタ２０１１の出力は、引き込み制御回路２０１０に供給されている。
【００２９】
引き込み制御回路２０１０は、抵抗２０１２、２０１３およびＦＥＴ（Field Effect Transistor）２０１４からなる。抵抗２０１２、２０１３は、分圧抵抗であって、直列に接続されている。直列に接続された抵抗２０１２、２０１３の一端はセレクタ２０１１に接続され、他端はＦＥＴ２０１４を介して接地されている。抵抗２０１２、２０１３の接続点は、Ａ／Ｄコンバータ２０１５の入力に接続されている。
【００３０】
Ａ／Ｄ変換開始タイミング生成回路２０１６は、ＦＥＴ２０１４のオン・オフを制御するとともに、セレクタ２０１１における入力選択を制御する。また、Ａ／Ｄ変換開始タイミング生成回路２０１６は、Ａ／Ｄ変換の開始を指示するためのＡ／Ｄ変換開始タイミングをＡ／Ｄコンバータ２０１５に供給する。Ａ／Ｄ変換開始タイミング生成回路２０１６によって、どのセンスラインがどのタイミングでＡ／Ｄ変換されるかが決定される。例えば、Ａ／Ｄ変換開始タイミング生成回路２０１６による入力選択制御により、セレクタ２０１１において、一定の時間間隔で入力が順に選択されて出力されるように制御することもできる。
【００３１】
Ａ／Ｄコンバータ２０１５は、セレクタ２０１１の出力が引き込み制御回路２０１０を介して入力されており、該入力（アナログ）を複数のビットからなるディジタルデータに変換する。Ａ／Ｄコンバータ２０１５によるＡ／Ｄ変換は、Ａ／Ｄ変換開始タイミング生成回路２０１６からのＡ／Ｄ変換開始タイミングに基づいて開始される。
【００３２】
Ａ／Ｄ変換時にセレクタ２０１１にて選択された入力信号（電圧）は、引き込み制御回路２０１０で分圧抵抗２０１２、２０１３を介してＦＥＴ２０１４でＧＮＤに終端される。例えば、ヒューズが溶断されていない電源の入力側ラインがセレクタ２０１１で選択された場合は、Ａ／Ｄコンバータ２０１５の入力電圧は、その入力側ラインに供給される電池電圧を引き込み制御回路２０１０の抵抗２０１２、２０１３で分圧した電圧となる。ヒューズが溶断された電源の入力側ラインがセレクタ２０１１で選択された場合は、Ａ／Ｄコンバータ２０１５の入力電圧は、引き込み制御回路２０１０によりＧＮＤレベルに近い値となる。
【００３３】
Ａ／Ｄ変換される電圧の範囲、すなわち当該携帯機器で使用する電池電圧（メイン電池１５の電池電圧）の範囲において、Ａ／Ｄコンバータ２０１５から出力されるＡ／Ｄ変換データ（ディジタルデータ）の最上位ビット（ＭＳＢ）が「１」になるように、Ａ／Ｄコンバータ２０１５のダイナミックレンジと引き込み制御回路２０１０における分圧比を適宜に設定する。この設定によれば、ヒューズが溶断されていない電源の入力側ラインがセレクタ２０１１で選択された場合は、Ａ／Ｄコンバータ２０１５から出力されるディジタルデータのＭＳＢは「１」となる。一方、ヒューズが溶断された電源の入力側ラインがセレクタ２０１１で選択された場合は、Ａ／Ｄコンバータ２０１５から出力されるディジタルデータのＭＳＢは「０」となる。よって、Ａ／Ｄコンバータ２０１５から出力されるディジタルデータのＭＳＢに基づいて、ヒューズ溶断を判断することができる。
【００３４】
Ａ／Ｄコンバータ２０１５の精度は、特に制限はない。通常の電池電圧のモニタに兼用する場合は、それ相応のビット精度を有するＡ／Ｄコンバータが要求されるが、異常検出を行うだけであれば、Ａ／Ｄコンバータのビット精度は低くてもよい。
【００３５】
データ比較部２０１７は、Ａ/Ｄコンバータ２０１５から入力される、電源２１〜２６の各入力側ラインに関する入力電圧データ（ディジタルデータ）を比較し、ＭＳＢの値が他のディジタルデータと異なるディジタルデータがある場合に、ヒューズが溶断された電源があるか否かを判断する。ヒューズが溶断された電源がある場合は、データ比較部２０１７は、その旨を示す異常発生信号およびヒューズが溶断された電源を特定可能なデータを電源異常検知部２０２に供給する。
【００３６】
図３に、データ比較部２０１７の構成を具体的に示す。図３を参照すると、データ比較部２０１７は、異常発生信号生成部２０１７４および異常要因特定用データ生成部２０１７５を有する。
【００３７】
異常発生信号生成部２０１７４は、ＮＡＮＤ回路を構成するものであって、Ａ/Ｄコンバータ２０１５から入力される、電源２１〜２６の各入力側ラインに関する入力電圧データ（ディジタルデータ）２０１７１〜２０１７６のＭＳＢの値をそれぞれ入力としており、入力されたＭＳＢの値の少なくとも１つが「０」である場合に、異常発生信号（ハイレベル）を出力する。入力されたＭＳＢの値がいずれも「１」である場合は、異常発生信号はロウレベルとされる。
【００３８】
異常要因特定用データ生成部２０１７５は、Ａ/Ｄコンバータ２０１５から入力される入力電圧データ（ディジタルデータ）２０１７１〜２０１７６のＭＳＢの値をその入力順に並べた、Ｎビットの異常要因特定用データ（ディジタルデータ）を生成する。どの箇所で異常が発生したのかを知らせるために、異常要因特定用データ生成部２０１７５で生成された異常要因特定用データも、電源異常通知部２０２に供給される。異常要因特定用データのビット数「Ｎ」は、電源２１〜２６の数で決まる。このような異常要因特定用データ生成部２０１７５は、Ｎ個のシフトレジスタより構成することが可能である。
【００３９】
（２）電源異常通知部２０２
図４に、電源異常通知部２０２の構成を示す。図４を参照すると、電源異常通知部２０２は、異常通知割り込み部２０２１、異常個所データ取得レジスタ２０２２および異常通知判定部２０２３からなる。
【００４０】
異常通知割り込み部２０２１は、異常発生信号生成部２０１７４から供給される異常発生信号を割り込み出力信号として制御系デバイス８に供給する汎用のＩＯインターフェースより構成される。
【００４１】
異常個所データ取得レジスタ２０２２は、電源異常検出部２０１から出力されたＮビットの異常要因特定データを格納するためのものである。異常個所データ取得レジスタ２０２２に格納された異常要因特定データは、異常通知判定部２０２３に供給される。
【００４２】
異常通知判定部２０２３は、異常個所データ取得レジスタ２０２２から供給される異常要因特定データに基づいて、どの電源の入力が故障しているかを判断し、電源制御ロジック回路２７に対して電源制御指示を行う。この異常通知判定部２０２３の指示に基づく電源制御は、例えば、ＩＯポート９の電源２５や制御デバイス８自体の電源２４が故障した場合などのように、制御系デバイス８による電源制御ではヒューズが溶断された際の電源異常の通知などを行うことができない場合に有効である。例えば、異常になったことをユーザに示すために、異常通知判定部２０２３からの電源制御指示に基づいて、電源制御ロジック回路２７が、表示部の電源を入れて視覚的に異常であることを示す。また、大電流が流れないように、異常通知判定部２０２３からの電源制御指示に基づいて、電源制御ロジック回路２７が、他の電源も一緒にオフする。これにより、電源入力の２次的な異常発生を抑制することが可能である。
【００４３】
次に、本実施形態の携帯機器の動作について具体的に説明する。
【００４４】
図５に、電源異常検出処理の一例を示し、図６に、電源異常検出タイミングの一例を示す。以下、図１〜図６を参照して、電源異常検出の動作を具体的に説明する。
【００４５】
Ａ／Ｄ変換開始タイミング生成回路２０１６による制御により、セレクタ２０１１において、電源２１〜２６の各入力側に接続されたセンスラインが順に選択され、Ａ／Ｄコンバータ２０１５にて、その選択されたセンスラインに関する電圧がそれぞれＡ／Ｄ変換される（ステップＡ１）。具体的には、図６に示すように、Ａ／Ｄ変換開始タイミング生成回路２０１６から出力されるＡ／Ｄ変換開始信号の立ち上がりのタイミングで、引き込み制御回路２０１０のＦＥＴ２０１４がオンとされるとともに、電源２１から順番にＡ／Ｄ変換が行われる。
【００４６】
電源２１〜２６の全ての入力に対してＡ／Ｄ変換が行われると、データ比較部２０１７が、そのＡ／Ｄ変換されたデータを比較する（ステップＡ２）。具体的には、データ比較部２０１７は、Ａ／Ｄコンバータ２０１５から入力される、電源２１〜２６の各入力電圧データを比較する（ステップＡ３）。入力電圧データがほぼ同じである場合は、データ比較部２０１７は、電源入力（電池電圧）の異常は発生していないと判断する（ステップＡ３での判断が「Ｎｏ」）。逆に、入力電圧データ２０１７１〜２０１７６のうち１つでも他のデータと著しく異なる場合は、データ比較部２０１７は、電源入力（電池電圧）が異常であると判断する（ステップＡ３での判断が「Ｙｅｓ」）。図６の例では、電源２３の入力に設けられたヒューズ１０３が溶断された状態となっており、セレクタ２０１１にて電源２３が選択された場合におけるＡ／Ｄコンバータ２０１５の入力電圧がＧＮＤレベルとなっている。このため、電源２３の入力電圧データが他の電源２１、２２、２４〜２６の入力電圧データと異なる。
【００４７】
ステップＡ３の判断が「Ｎｏ」となった場合は、ステップＡ１に戻る。ステップＡ３の判断が「Ｙｅｓ」となった場合は、続いて、データ比較部２０１７は、電源異常通知部２０２に対して、異常検出信号を送出するとともに、どの電源で異常が発生したかを示す異常要因特定データを供給する（ステップＡ４）。データ比較部２０１７における入力電圧データの比較では、例えば、図３に示したように、入力電圧データ２０１７１〜２０１７６のＭＳＢを比較する。ＭＳＢの値が１つでも異なるものがある場合は、データ比較部２０１７は、電源異常通知部２０２に対して、異常検出信号を送出するとともに、入力電圧データ２０１７１〜２０１７６のＭＳＢの値を順に格納した異常要因特定データを供給する。
【００４８】
異常検出信号を受けた電源異常通知部２０２は、制御系デバイス８に対して、その異常検出信号を割り込み信号として送出する（ステップＡ５）。割り込み信号を受けた制御系デバイス８は、対応する電源制御を行う（ステップＡ６）。制御系デバイス８の電源２４で異常が起きた場合など、制御系デバイス８による制御では対応できない場合は、異常通知判定部２０２３が、異常要因特定データに基づいて異常を生じた電源に対する制御を行う。
【００４９】
次に、制御系デバイス８および異常通知判定部２０２３による電源異常時の制御について具体的に説明する。図７に、電源異常時における制御系デバイス８および電源異常通知部２０２の動作を示す。以下、図４および図７を参照して制御系デバイス８および電源異常通知部２０２の動作を説明する。
【００５０】
電源異常通知部２０２では、電源入力異常検出部２０１から送出された異常検出信号が異常通知割り込み部２０２１で受信されるとともに（ステップＢ１）、電源入力異常検出部２０１からの異常要因特定データが異常個所データ取得レジスタ２０２２に格納される（ステップＢ２）。
【００５１】
異常通知判定部２０２３は、異常個所データ取得レジスタ２０２２に格納されデータに基づいて、電源異常個所を断定し、その断定した電源異常個所が、制御系デバイス８に関係しているかどうかを判定する（ステップＢ３）。
【００５２】
電源異常個所が制御系デバイス８に関係していない場合（ステップＢ３の判断が「Ｙｅｓ」の場合）は、異常通知判定部２０２３による電源制御は行われずに、制御系デバイス８による電源制御が行われる。具体的には、制御系デバイス８は、異常個所データ取得レジスタ２０２２から異常個所のデータを取得して（ステップＢ４）、その異常が発生している電源及びその関係箇所に対して電源制御を行う（ステップＢ５）。また、電源異常が発生したことをユーザに知らせるために、制御系デバイス８は、表示系及び音声系の電源制御を行う（ステップＢ６）。
【００５３】
電源異常個所が制御系デバイス８に関係している場合（ステップＢ３の判断が「Ｎｏ」の場合）は、制御系デバイス８による電源制御は行われずに、異常通知判定部２０２３による電源制御が行われる。具体的には、異常通知判定部２０２３は、ステップＢ３での電源異常個所の断定結果に基づいて、異常が発生している電源及びその関係箇所に対して電源制御を行う（ステップＢ７）。また、電源異常が発生したことをユーザに知らせるために、異常通知判定部２０２３は、表示系及び音声系の電源制御を行う（ステップＢ８）。
【００５４】
図８に、電源入力異常の発生時における制御系デバイス８および異常通知判定部２０２３によって行われる電源制御の項目一覧を示す。
【００５５】
例えば、通信系デバイスの電源２１に異常が発生した場合は、制御デバイス８による電源制御ロジック回路２７の制御を行うことが可能である。この場合は、制御デバイス８は、異常が発生している電源２１をオフする、といった電源制御を行い、かつ、異常が発生したことをユーザに知らせるために、表示系の電源制御を行う。この表示系の電源制御により、ＬＣＤやＬＥＤなどによる異常表示が行われる。
【００５６】
また、制御系デバイス８自身の電源２４に異常が発生した場合は、異常通知判定部２０２３が、電源２４に対する制御（オフなど）を行い、かつ、異常が発生したことをユーザに知らせるために、表示系の電源制御を行う。この表示系の電源制御により、ＬＣＤやＬＥＤなどによる異常表示が行われる。
【００５７】
また、表示系デバイスの電源２２に異常が発生した場合は、制御系デバイス８は、異常が発生している電源２２をオフする、といった電源制御を行い、かつ、異常が発生したことをユーザに知らせるために、音声系デバイスの電源制御を行う。
【００５８】
電源異常個所が電源２３である場合は、制御系デバイス８による電源制御によって、表示系デバイスを使用したユーザ通知が行われる。電源異常個所が電源２５である場合は、制御系デバイス８による電源制御が不能であるため、異常通知判定部２０２３による異常個所電源制御が行われる。電源異常個所が電源２６である場合は、電源２５による電源供給または別に設けられた電源による電源供給が行われる。
【００５９】
以上説明した本実施形態の携帯機器によれば、各電源の入力側にセンスラインを設けて、そのセンスラインを介して電圧をモニタすることが可能となっている。これにより、ヒューズが切れたかどうかの判定をすることができる。
【００６０】
ヒューズが切れた場合は、制御系デバイスが、ヒューズが切れた電源や他の電源に対する適切な電源制御を実行する。これにより、ユーザに異常が発生したことを視覚的、聴覚的に知らせることができる。
【００６１】
さらに、制御系デバイスは、ヒューズが溶断された電源に接続されるデバイスの制御を制約することができる。これにより、ヒューズ溶断による誤動作などの発生や二次的な故障の発生を抑制することができる。
【００６２】
さらに、ヒューズ溶断時における電源異常通知部や制御系デバイスによる電源制御において、例えばＬＥＤの点滅パターンを、電源毎に異なるようなパターンとすることで、ユーザは、点滅パターンに基づいてどの電源のヒューズが溶断されたかを認識することができる。この場合は、点滅パターン情報と電源識別情報とを関連づけて記憶部に格納し、ヒューズ溶断時に、電源異常通知部や制御系デバイスが、異常要因特定データから特性される電源に関する点滅パターン情報を記憶部から取得して電源制御を電源制御ロジック部に実行させる。
【００６３】
また、制御デバイスの電源に異常が発生しても、電源異常通知部による制御により、電源制御ロジック部が、その異常を認識し、その異常に対する電源制御を実行する。これにより、制御デバイスの電源に異常が発生した場合でも、ユーザに異常が発生したことを視覚的、聴覚的に知らせることができる。
【００６４】
（第２の実施形態）
次に、本発明の第２の実施形態である携帯機器について説明する。本実施形態の携帯機器は、電源異常通知部２０２の出力が電池電圧検出部１４に供給され、電源異常通知部２０２の動作が一部異なる以外は、図１に示した構成と同じである。
【００６５】
図９に、本実施形態の携帯機器の電源異常通知部２０２の構成を示す。図９を参照すると、電源異常通知部２０２は、異常通知割り込み部２０２１、異常個所データ取得レジスタ２０２２および異常通知判定部２０２３からなるが、異常通知判定部２０２３によって電池電圧検出部１４の制御が行われる点が、図４に示したものと異なる。
【００６６】
電源異常のために制御系デバイス８による制御が不能とされている場合、異常通知判定部２０２３は、電池電圧検出部１４を通じて、強制的に電源系統を全てオフする制御を行う。
【００６７】
図１０に、本実施形態の携帯機器における電源異常時の制御系デバイス８および電源異常通知部２０２の動作を示す。以下、図９および図１０を参照して制御系デバイス８および電源異常通知部２０２の動作を説明する。
【００６８】
電源異常通知部２０２では、電源入力異常検出部２０１から送出された異常検出信号が異常通知割り込み部２０２１で受信されるとともに（ステップＣ１）、電源入力異常検出部２０１からの異常要因特定データが異常個所データ取得レジスタ２０２２に格納される（ステップＣ２）。
【００６９】
異常通知判定部２０２３は、異常個所データ取得レジスタ２０２２に格納されデータに基づいて、電源異常個所を断定し、その断定した電源異常個所が、制御系デバイス８に関係しているかどうかを判定する（ステップＣ３）。
【００７０】
電源異常個所が制御系デバイス８に関係していない場合（ステップＣ３の判断が「Ｙｅｓ」の場合）は、異常通知判定部２０２３による電源制御は行われずに、制御系デバイス８による電源制御が行われる（ステップＣ４〜Ｃ６）。このステップＣ４〜Ｃ６の処理は、図７に示したステップＢ４〜Ｂ６の処理と同じである。
【００７１】
電源異常個所が制御系デバイス８に関係している場合（ステップＣ３の判断が「Ｎｏ」の場合）は、制御系デバイス８による電源制御は行われずに、異常通知判定部２０２３による電源制御が行われる。具体的には、異常通知判定部２０２３は、電池電圧検出部１４を強制的にオフにし（ステップＣ７）、電源系をすべてオフにする（ステップＣ８）。
【００７２】
制御系デバイス８の電源が異常である場合は、携帯機器としての動作を行うことができないことから、二次的な故障の発生や安全性を考えると、電源系を全てオフにすることが望ましい。本実施形態の携帯機器によれば、制御系デバイス８の電源が異常である場合は、全ての電源が強制的にオフにされるので、二次的な故障の発生などを抑制することができる。
【００７３】
以上説明した各実施形態の携帯機器は本発明に一例であり、その構成および動作は本発明の趣旨を逸脱しない範囲で変更することができる。例えば、第１の実施形態の構成において、携帯機器で使用する電池電圧（メイン電池１５の電池電圧）の範囲において、Ａ／Ｄ変換データのＭＳＢがが「１」になるように、Ａ／Ｄコンバータ２０１５のダイナミックレンジと引き込み制御回路２０１０における分圧比を設定するようにしているが、Ａ／Ｄ変換データの特定のビットが「１」になるように、Ａ／Ｄコンバータ２０１５のダイナミックレンジと引き込み制御回路２０１０における分圧比を設定してもよい。この場合は、比較対象とするビットは特定のビットとされる。
【図面の簡単な説明】
【００７４】
【図１】本発明の第１の実施形態である携帯機器の概略構成を示すブロック図である。
【図２】図１に示す電源異常検出部の構成を示すブロック図である。
【図３】図２に示すデータ比較部の構成を示すブロック図である。
【図４】図１に示す電源異常通知部の構成を示すブロック図である。
【図５】図１に示す携帯機器において行われる電源異常検出処理の流れを示すフローチャートである。
【図６】図１に示す携帯機器における電源異常検出タイミングを示すタイミングチャートである。
【図７】図１に示す携帯機器の電源異常時の動作を説明するためのフローチャートである。
【図８】図１に示す携帯機器において行われる電源制御項目の一覧を示す図である。
【図９】本発明の第２の実施形態である携帯機器の電源異常通知部の構成を示すブロック図である。
【図１０】本発明の第２の実施形態である携帯機器の電源異常時の動作を説明するためのフローチャートである。
【符号の説明】
【００７５】
２  電源回路
３  通信系デバイス
４  データ入力部
５  表示部
６  アプリケーション用デバイス
７  音声入出力部
８  制御系デバイス
９  Ｉ／Ｏポート
１０  発振回路
１１  時計機能部
１２  抵抗
１３  バックアップ電池
１４  電池電圧検出部
１５  メイン電池
２１〜２６  電源
２７  電源制御ロジック回路
２８、２９  ダイオード
１０１〜１０６  ヒューズ
２０１  電源入力異常検出部
２０２  電源異常通知部
【図１】
2007244148.tif 000003
【図２】
2007244148.tif 000004
【図３】
2007244148.tif 000005
【図４】
2007244148.tif 000006
【図５】
2007244148.tif 000007
【図６】
2007244148.tif 000008
【図７】
2007244148.tif 000009
【図８】
2007244148.tif 000010
【図９】
2007244148.tif 000011
【図１０】
2007244148.tif 000012